(57)【特許請求の範囲】
【請求項１】
電気通信コネクタであって、
コネクタハウジングと、
前記コネクタハウジング内の複数のコネクタコンタクトと、
前記コネクタコンタクトの成端端部を受け取るための第１のめっきスルーホールを有する基板であって、前記第１のめっきスルーホールが前記基板上の一領域内に構成された基板と、
前記基板内の第２のめっきスルーホール内に配置される複数の成端コンタクトと
を備え、
連設された複数の前記第２のめっきスルーホールが前記基板上の前記一領域を横断する
ことを特徴とする電気通信コネクタ。
【請求項２】
請求項１に記載の電気通信コネクタであって、
前記基板が方形であり、前記第２のめっきスルーホールが前記基板の対角線に沿って構成される
ことを特徴とする電気通信コネクタ。
【請求項３】
請求項１に記載の電気通信コネクタであって、
各成端コンタクトが横軸を有し、前記基板が前記基板の平面内に基準軸を有し、第１の成端コンタクトの前記横軸と前記基準軸との間の第１の角度が、第２の成端コンタクトの前記横軸と前記基準軸との間の第２の角度とは異なる
ことを特徴とする電気通信コネクタ。
【請求項４】
請求項３に記載の電気通信コネクタであって、
全ての成端コンタクトが、前記基準軸に対して前記第１の角度、または前記基準軸に対して前記第２の角度の横軸を有する
ことを特徴とする電気通信コネクタ。
【発明の詳細な説明】
【技術分野】
【０００１】
本発明は、電気通信コネクタに関する。
【背景技術】
【０００２】
電気通信応用分野が、ＩＥＥＥ  １０ＧＢＡＳＥ−Ｔ、ＩＳＯ／ＩＥＣ  １１８０１  Ｅｄ  ２、ＩＥＣ  ６０６０３−７−４１などの標準規格に従ってより高い周波数性能およびより制御された性能を必要としつつある中で、取付けのばらつきを最小限に抑えることが決定的に重要になっている。これには、パッチコード（例えば、モジュラプラグに成端された撚り対ケーブル）の性能、コネクタ（例えば、さまざまな端子ブロックへのプリント回路板（ＰＣＢ）接続またはリードフレーム接続を有する、アウトレットまたはジャック）、および撚り対ケーブルからコネクタへの成端がある。全体のシステム性能は、これらの要素のばらつきを制限することによって改善することができる。
【０００３】
電気通信コネクタはしばしば、多対ケーブルと共に使用される。撚り対ケーブルの固有の性質により、ケーブルが成端されるとき、対向する端部上に鏡像パターンが生じる。ワイヤのレイ（ｌａｙ）（所定の長さにわたって互いに撚り付けられたワイヤの対）は、一方の端部内に対のある配置方向をもたらし、それは他方の端部の鏡像となっている。既存の標準的なプラグおよびアウトレットの設計は、ケーブルの少なくとも一方の端部が、成端に合わせて対を適切に位置合せするために対の交差を必要とする成端パターンを有する。対のこの交差が、ばらつきおよび更なる予測不能のクロストークを招く。
【０００４】
さらに、あるコネクタから別のコネクタへの成端コンタクト（例えばＩＤＣ）の並びは、個々のコネクタ間にクロストークを引き起こす恐れがある。これは、エイリアンクロストークとして知られている。エイリアンクロストークを最小限に抑える、またはなくすのに最良の様式の１つは、コネクタ間にスペースを形成することであるが、応用分野の要件は、コネクタが配置されるスペースの使用量を絶えず最大にしており、その結果、コネクタが互いにより近くなって、高密度構成が形成される。一例として、１Ｕパッチパネル内の４８個のコネクタがある。
【発明の概要】
【発明が解決しようとする課題】
【０００５】
したがって、コネクタの性能を改善（例えばクロストーク低減）するための低減された成端のばらつきと、ごく近接して配置されたときに、あるコネクタから隣接するコネクタまでの距離を最大にする成端ＩＤＣ配置方向とを有する電気通信コネクタが、当技術分野で必要とされている。
【課題を解決するための手段】
【０００６】
諸実施形態は、電気通信コネクタであって、コネクタハウジングと、コネクタハウジング内の複数のコネクタコンタクトと、コネクタコンタクトの成端端部を受け取るための第１のめっきスルーホールを有する基板であって、第１のめっきスルーホールが基板上の一領域内に構成された基板と、基板内の第２のめっきスルーホール内に配置される複数の成端コンタクトとを含み、連設された複数の第２のめっきスルーホールが基板上の該一領域を横断する、電気通信コネクタを含む。
【図面の簡単な説明】
【０００７】
【図１】本発明の諸実施形態における一例示的コネクタの分解図である。
【図２Ａ】個々の対の色分けを含めて、標準的な４対電気通信ケーブルを示す図である。
【図２Ｂ】個々の対の色分けを含めて、標準的な４対電気通信ケーブルを示す図である。
【図２Ｃ】個々の対の色分けを含めて、標準的な４対電気通信ケーブルを示す図である。
【図３】対の交差なしに撚り対ケーブルが成端のために絡み付けられることを可能にする、ケーブルの両端部上の成端ブロックを示す図である。
【図４Ａ】諸例示的実施形態における、ワイヤを成端ブロック内に絡み付ける様子を示す図である。
【図４Ｂ】諸例示的実施形態における、ワイヤを成端ブロック内に絡み付ける様子を示す図である。
【図４Ｃ】図４Ｂのワイヤを絡み付ける様子の詳細図である。
【図４Ｄ】成端ブロックの斜視図である。
【図５Ａ】基板上に取り付けられた成端コンタクトを示す図である。
【図５Ｂ】従来型の成端コンタクトの図である。
【図５Ｃ】図５Ａおよび５Ｂの実施形態に関するエイリアンクロストーク（ＡＮＥＸＴ）のプロットである。
【図６】本発明の諸代替実施形態における一例示的コネクタの分解図である。
【図６Ａ】図６の構成要素の分解図である。
【図７】一例示的実施形態における成端ブロックを示す図である。
【図８】図７の成端ブロックを示す図である。
【図９】ワイヤが絡み付けられた図７の成端ブロックを示す図である。
【図９Ａ】諸例示的実施形態におけるグランドラッチ（ｇｒｏｕｎｄ  ｌａｔｃｈ）付き成端ブロックを示す図である。
【図９Ｂ】ケーブルが取り付けられた図９Ａの成端ブロックを示す図である。
【図１０】一例示的実施形態における成端コンタクトの構成を示す図である。
【図１１】図１０および先行技術の実施形態に関するエイリアンクロストーク（ＡＮＥＸＴ）のプロットである。
【図１２】諸例示的実施形態におけるベゼルの正面斜視図である。
【図１３】図１２のベゼルの背面斜視図である。
【図１４】図１２のベゼルを使用してパネル内に平坦構成で取り付けられたコネクタの正面斜視図である。
【図１５】図１２のベゼルを使用してパネル内に平坦構成で取り付けられたコネクタの背面斜視図である。
【図１６】図１２のベゼルを使用してパネル内に角度付き構成で取り付けられたコネクタの正面斜視図である。
【図１７】図１２のベゼルを使用してパネル内に角度付き構成で取り付けられたコネクタの背面斜視図である。
【図１８】諸例示的実施形態におけるアイコンの正面斜視図である。
【図１９】図１８のアイコンの背面斜視図である。
【図２０】コネクタハウジングに取り付けられたベゼル、およびベゼルに取り付けられたアイコンの斜視図である。
【図２１】諸例示的実施形態におけるキーストンベゼルの正面斜視図である。
【図２２】図２１のキーストンベゼルの背面斜視図である。
【図２３Ａ】キーストンフェースプレート内に取り付けられた従来型のキーストンコネクタの断面図である。
【図２３Ｂ】図２１および２２のベゼルを使用してキーストンフェースプレート内に取り付けられたコネクタの断面図である。
【図２４Ａ】キーストンフェースプレート内に取り付けられた従来型のキーストンコネクタの斜視図である。
【図２４Ｂ】図２１および２２のベゼルを使用してキーストンフェースプレート内に取り付けられたコネクタの斜視図である。
【図２５】隣り合わせに取り付けられた図６の２つのコネクタを示す図である。
【図２６】諸例示的実施形態におけるコンタクト支持部を示す図である。
【図２７】一代替実施形態におけるコネクタの分解図である。
【図２８】ごく近接して取り付けられた図２７の２つのコネクタを示す図である。
【図２９】張力緩和およびシールド成端組立体の図である。
【図３０】本発明の諸代替実施形態における一例示的コネクタの分解図である。
【発明を実施するための形態】
【０００８】
図１は、一例示的コネクタハウジング１０１、パッチコード１００、および撚り対ケーブル１０７の分解図である。ケーブル１０７は、ワイヤ１０８の４つの撚り対（図２Ａ）を含み、各撚り対は、色分けされたチップアンドリングワイヤ（ｔｉｐ  ａｎｄ  ｒｉｎｇ  ｗｉｒｅ）を有する。本発明の諸実施形態は、異なる色分けを有するケーブルと共に使用することができ、本発明は、ワイヤの４つの撚り対を有するケーブルに限定されないことが理解されよう。パッチコード１００は、既存のモジュラアウトレットと嵌合するように寸法設定されたプラグハウジングを含む。プラグハウジングは、ＲＪ−４５タイプのプラグとすることができるが、異なる構成を有してもよい。
【０００９】
コネクタハウジング１０１は、いくつかの構成要素を含む。コネクタ組立体１０２が、コネクタハウジング２００およびコンタクトキャリア２０２を含む。図１のコネクタはアウトレットであるが、本発明の特徴はさまざまなコネクタに組み込むことができることが理解されよう。コンタクトキャリア２０２は、パッチコード１００上のプラグ内にあるプラグコンタクトと電気的接触するためのコネクタコンタクトを含む。コネクタコンタクトは、ワイヤ状、可撓性回路材料などとすることができる。基板１０３が、コンタクトキャリア１０２上のコネクタコンタクトと成端コンタクト１０４との間の電気的接続を確立する。成端コンタクト１０４（例えば絶縁変位コンタクト）は、本明細書においてさらに詳細に説明するように、成端ブロック１０５内に絡み付けられたワイヤと係合するように配置される。基板１０３は、コネクタ組立体１０２内のコンタクトと成端コンタクト１０４との間の電気的接続を確立するためのトレースを中に有するプリント回路板、可撓性回路材料などとすることができる。本明細書においてさらに詳細に説明するように、基板１０３は、コネクタの電気的性能（例えば、近端漏話（ＮＥＸＴ）、遠端漏話（ＦＥＸＴ））を調整するための補償要素を含むことができる。諸代替実施形態では、コネクタ組立体コンタクトおよび成端コンタクト１０４がリードフレームの一部分であり、それにより基板１０３が不要になる。コネクタハウジング１０１は、シールドを形成するために導電性とすることができる。張力緩和およびシールド接地組立体１０６が、成端ブロック１０５の基部内に設けられる。張力緩和およびシールド接地組立体１０６については、図２９を参照してさらに詳細に説明する。
【００１０】
図２Ａに示すように、ケーブル１０７の対向する端部は、ワイヤ対の位置に関して互いの鏡像となっている。図２Ｂおよび２Ｃは、ケーブルの対向する端部を示し、対１から４の位置を示している。ケーブル内でのワイヤ対のこの配置方向は一般に、ケーブルがコネクタに成端されるときに、ワイヤ対の交差を招いている。一般に、対は、ケーブル１０７の一方の端部で成端されるときに交差されない場合、ケーブルの他方の端部で配置し直して、交差されなければならない。これは、従来型のコネクタはケーブルの各端部で同一であるが、ワイヤ対の位置がケーブルの各端部で異なっているためである。この従来型の構成では、一方の端部のワイヤ対が交差されない場合、ケーブルの他方の端部のワイヤ対が必ず交差されることになる。本発明の諸実施形態は、この問題を解消する。
【００１１】
対の位置はしばしば、ＯＲ／Ｗ（橙白色ワイヤ）およびＯＲ（橙色ワイヤ）、ＢＬ／Ｗ（青白色ワイヤ）およびＢＬ（青色ワイヤ）、ＧＲ／Ｗ（緑白色ワイヤ）およびＧＲ（緑色ワイヤ）、ならびにＢＲ／Ｗ（茶白色ワイヤ）およびＢＲ（茶色ワイヤ）という識別子によって表される。例えば、「青色対」という言及は、青色および青／白色ワイヤを指す。
【００１２】
図３および４Ａは、ワイヤ１０８の撚り対を有する４対電気通信ケーブル１０７を示す。当技術分野で一般的なように、対は、同一調色ワイヤと、それに撚り合わされた同色および白色を有する別のワイヤで色付けされる（例えば、１つの撚り対は、青色ワイヤと青／白色ワイヤが撚り合わされている）。本発明の諸実施形態は、特定のワイヤスタイルおよび／または色に限定されない。
【００１３】
図３は、ケーブルの各端部のケーブルワイヤ対１０８を成端ブロック１０５に絡み付ける様子を示す。成端は、２つのワイヤ対が成端バー３０６の一方の側から入り、残りの２つのワイヤ対が成端バー３０６の反対側から入るようなものである。図示のように、端部１０９において、橙色のワイヤ対（Ｂ）および青色のワイヤ対（Ｄ）が、バー３０６の左側からきて成端ブロック１０５に成端される。緑色のワイヤ対（Ａ）および茶色のワイヤ対（Ｃ）が、バー３０６の右側からきて成端ブロック１０５に成端される。他方の端部１１０において、橙色のワイヤ対および青色のワイヤ対が、バー３０６の右側からきて成端ブロック１０５に成端される。緑色のワイヤ対および茶色のワイヤ対が、バー３０６の左側からきて成端ブロック１０５に成端される。ケーブル１０７の両側を同じブロックに成端するとき、利用者は、導体を両側について異なるように配置する必要がない。導体は、所与のケーブルの導体の自然なレイ（ｎａｔｕｒａｌ  ｌａｙ）に従う。
【００１４】
図３および４Ａに示すように、ワイヤ１０８の端部は成端バーを越えて延び、これは取付け者の手で、または工場設定において切り取ることができる。成端バーを越えて延びるワイヤスタブの長さは、モジュラコネクタの電気的性能（例えばクロストーク）を制御するように調整することができる。さらに、成端ブロック基部３０２に対するワイヤの高さは、ワイヤ１０８間の相互作用を制御し、かつモジュラコネクタの電気的性能（例えばクロストーク）を制御するように異なる高さを有する成端コンタクト１０４およびスロット３１０を使用して調整することができる。
【００１５】
図４Ｂは、図３および４Ａに示す絡み付けの様子に類似した、ワイヤを成端ブロック１０５内に絡み付ける様子を示す。しかし、この実施形態では、ワイヤは、図３に示すように両側から絡み付けられるのではなく、全て成端ブロック１０５の一方の側に沿って絡み付けられる。どちらの絡み付け方法を用いても、ケーブルのどちらか一方の端部でワイヤ対を交差させる必要はない。というのも、成端ブロック１０５は、ケーブル内でのワイヤ対の自然なレイを乱さずにワイヤ対が絡み付けられることを可能にするためである。
【００１６】
図４Ｃは、図４Ｂのワイヤを絡み付ける様子の詳細図である。図４Ｃは、ワイヤの撚り対Ａ、Ｂ、ＣおよびＤが、互いに交差せずにそれらの配置された自然なレイの形でケーブルから出る様子を示す。図４Ｃに示すように、ワイヤ対は、ケーブル外被から出る地点で、または成端バーに至るまでのそれらの長さに沿った任意の地点で互いに交差しない。
【００１７】
図４Ｄは、成端ブロック１０５の斜視図である。成端ブロック１０５は、ケーブル１０７を受け取るための開口３０４が中に形成された基部３０２を含む。基部３０２は方形である。成端バー３０６が、基部３０２の上方に支持され、基部３０２の対角線に沿って延びる。成端バー３０６は、ワイヤ対を個々のワイヤに分離するためのいくつかの歯３０８を含む。成端バー３０６内のスロット３１０がワイヤを保持し、次いでワイヤは、成端コンタクト１０４内に成端される。
【００１８】
このワイヤリング技法は、ワイヤ対が成端ブロック内に絡み付けられるとその自然なワイヤ位置を維持して、ケーブルのどちらか一方の側での交差を不要にする。これにより、判断が不要になり、性能特性のばらつきを招く取付け中のばらつきがなくなる。この結果、取付け時間が低減され、かつより直行率の高い、より高性能のシステムがもたらされる。
【００１９】
本発明の諸実施形態は、対を渡らずに、または対を分割する必要なしに、ワイヤ対をデバイス上にどちらか一方の端部から成端できるようにする。コネクタコンタクト１０４は、性能を増大させ、スペースを最大にするために、非標準的な分布を有することができる。ワイヤ対は、成端に至るまでずっと、それらの自然な位置、すなわち「レイ」にとどまる。
【００２０】
図５Ａは、複数のコネクタが（例えばパッチパネル内に）互いに近接して取り付けられる適用例における、基板１０３上に構成された成端コンタクト１０４を示す。成端コンタクト１０４は、基板１０３の対角線上に構成される。この位置は、あるコネクタから隣接するコネクタまでの最大化された距離１１１を、左右と、コネクタの上方または下方の両方で維持する。これは、図５Ｂに示す既存の設計に勝る大幅な改良であり、図５Ｂでは、コンタクト間の距離が領域１１２によって表されている。この距離を最大にすることが、エイリアンクロストークを低減させる際に効率的な方法であることが分かっている。この方法はまた、ワイヤ成端用の最大領域１１３を効果的にもたらす。伝送速度が増大するにつれて、導体のサイズが大きくなり続け、それにより、従来どおりの小さなコネクタを用いて作業することが困難になっている。それとは逆に、顧客は、より多くのコネクタを所与量のスペースに嵌め込みたいと絶えず望んでいる。本開示の諸実施形態は、両方の問題を同時に解決する。図５Ｃは、図５Ａおよび５Ｂの実施形態に関する、エイリアンクロストーク（ＡＮＥＸＴ）対周波数を示す。
【００２１】
図６は、本発明の諸代替実施形態における一例示的コネクタ５００の分解図である。コネクタハウジング５０１が、いくつかの構成要素を含む。コンタクトキャリア５０２が、コネクタハウジング５０１と係合する。コンタクトキャリア５０２は、パッチコード１００上のプラグ内にあるプラグコンタクトと電気的接触するためのコネクタコンタクトを含む。コネクタコンタクトは、ワイヤ状、可撓性回路材料などとすることができる。基板５０３が、コンタクトキャリア５０２上のコネクタコンタクトと成端コンタクト５０４との間の電気的接続を確立する。成端コンタクト５０４（例えば絶縁変位コンタクト）は、本明細書においてさらに詳細に説明するように、成端ブロック５０５内に絡み付けられたワイヤと係合するように配置される。基板５０３は、コンタクトキャリア５０２内のコンタクトと成端コンタクト５０４と間の電気的接続を確立するためのトレースを中に有するプリント回路板、可撓性回路材料などとすることができる。本明細書においてさらに詳細に説明するように、基板５０３は、コネクタの電気的性能（例えば、近端漏話（ＮＥＸＴ）、遠端漏話（ＦＥＸＴ））を調整するための補償要素を含むことができる。諸代替実施形態では、コンタクトキャリア５０２のコンタクトおよび成端コンタクト５０４がリードフレームの一部分であり、それにより基板５０３が不要になる。コネクタハウジング５０１は、シールドを形成するために導電性とすることができる。成端ガイド５０６が、ケーブル１０７からのワイヤが絡み付けられた成端ブロック５０５が成端コンタクト５０４と係合するのを容易にする。成端ガイド５０６の内面が、成端ブロック５０５の外面を案内する。ベゼル６００が、コネクタハウジング５０１に取外し可能に取り付けられ、ベゼル６００はまた、アイコン７００を受け取る。ベゼル６００およびアイコン７００については、本明細書においてさらに詳細に説明する。
【００２２】
成端ガイド５０６は、基板５０３上の成端コンタクト５０４を受け取る第１の端部５１０を含む。成端ガイド５０６は、ケーブル１０７からのワイヤが成端コンタクト５０４に成端されるときに成端コンタクト５０４を支持するための構造を含む。成端ガイド５０６の第２の端部５１２が、成端ブロック５０５を受け取るようにサイズ設定および形状設定された開口を含む。本明細書においてより詳細に説明するように、ケーブル１０７からのワイヤが、成端ブロック５０５内に絡み付けられる。成端ブロック５０５が成端ガイド５０６に押し込まれると、成端ブロック５０５内に絡み付けられたワイヤが成端コンタクト５０４と係合して、ワイヤを成端コンタクトに打ち込み、電気的接続を確立する。
【００２３】
コネクタハウジング５０１をパネル開口に固定するのを助けるために、ラッチ組立体５４３がコネクタハウジングに取り付けられる。図６Ａはラッチ組立体５４３を示し、ラッチ組立体５４３は、ラッチアーム５４２、およびラッチアーム５４２間に配置されたハウジングラッチ５４４を含む。ラッチ組立体５４３は、コネクタハウジング５０１上に、コネクタハウジング５０１上に設けられた凹所内で嵌まる。ラッチアーム５４２およびハウジングラッチ５４４の動作については、本明細書において図１４〜１７を参照してさらに詳細に説明する。
【００２４】
図７は、一例示的実施形態における成端ブロック５０５を示す。成端ブロック５０５は、ケーブル１０７を受け取るための開口５２３が中に形成された基部５２０を含む。基部５２０は、ケーブル１０７のシールドを基部５２０と電気的に接触した状態にすることができ、かつ基部５２０がコネクタハウジング５０１と電気的に接触した状態になるように、導電性（例えば金属製、ダイカスト製、金属化プラスチック製）とすることができる。シールドバージョンでは、コネクタハウジング５０１が導電性である。弾性クリップ５２２が基部５２０内に配置され、弾性クリップ５２２は、導電性材料（例えば金属）から形成される。ケーブル１０７が成端ブロック５０５内に取り付けられるとき、ケーブル上のシールドが（当技術分野で知られるように）折り返されており、クリップ５２２が押し下げられて露出したシールドと係合する。ケーブルシールドとのこの物理的接続はまた、基部５２０とケーブルシールドとの間の電気的接続を確立し、ケーブル１０７に対して張力緩和を行う。
【００２５】
成端バー５２４が、基部５２０の上方に支持され、基部５２０の長手方向軸に沿って延びる。成端バー５２４は、ワイヤ対を個々のワイヤに分離するためのいくつかの歯５２６を含む。成端バー５２４内のスロット５２８がワイヤを保持し、次いでワイヤは、成端コンタクト５０４内に成端される。フィン５３０が成端バー５２４から離れて延び、隣接する撚りワイヤ対を分離することによってワイヤ対を整然とまとめるのを助ける。
【００２６】
図８は、図７の成端ブロックを示す。成端コンタクト５０４を受け取る開口５３２が図８内に見える。スロット５２８がワイヤ１０８を受け取り（図９）、スロット５２８は、ワイヤ１０８をスロット５２８内に保持するための、スロット５２８の内壁上に形成されたバーブ（ｂａｒｂ）５３４を含む。ワイヤ１０８は、図９に示すように成端バー５２４内に絡み付けられる。図９の実施形態では、全てのワイヤ１０８がスロット５２８に成端バーの同じ側から入る。成端バー５２４内でのワイヤの配置は、このワイヤリング技法がワイヤ対の自然なワイヤ位置を維持して、ケーブルのどちらか一方の側での交差を不要にするという点で、成端バー３０６内でのワイヤの配置と類似している。これにより、判断が不要になり、性能特性のばらつきを招く取付け者によるばらつきがなくなる。この結果、取付け時間が低減され、かつより直行率の高い、より高性能のシステムがもたらされる。図７〜９の成端ブロック５０５も、成端ブロック１０５に関して上記で論じた様式に類似した様式で、ケーブル１０７の両端部上でのワイヤ対の交差をなくす。ワイヤ対は、成端に至るまでずっと、それらの自然な位置、すなわち「レイ」にとどまる。
【００２７】
当技術分野で知られているように、ケーブル１０７内のワイヤは、チップ導体およびリング導体を含む撚り対の形で構成される。図９では、導体１と２が対であり、導体３と４が対であり、導体５と６が対であり、導体７と８が対である。各対は、ケーブル１０７の対を分離するのを助けるフィン５３０によって、隣接する対から分離される。
【００２８】
ワイヤ１０８の端部１０９が、成端ブロック５０５の端部に向かって先細りになる共通の表面に沿って配置されていることも、図９において明らかである。これにより、ワイヤ１０８の端部を、単一の切断工具を用いて１回の操作で切り取ることが可能になる。このため、取付けが大幅に容易になり、またワイヤ１０８の端部１０９が成端バー５２４の表面に接近して切り取られる。そのことが、ワイヤが成端バー５２４を越えて任意の不必要な長さにわたって延びることによる悪影響を低減させる。というのも、成端バー５２４を越えて延びるワイヤスタブは、クロストークを放射するアンテナ点として作用するためである。
【００２９】
図９Ａは、諸例示的実施形態におけるグランドラッチ付き成端ブロックを示す。成端ブロック６５５は基部６６０を含み、基部６６０は、枢動可能にそれに取り付けられたラッチアーム６６２を含むことを除き、図７の基部５２０に類似している。枢動ラッチアーム６６２は、基部６６０内のケーブル凹所６６１にアクセスする。開口６６６が基部６６０内に形成されており、ラッチアーム６６２は、開口６６６内に取り付けられたピン６６８によって基部６６０に蝶番式に取り付けられる。アーム６６２は、スプリングクリップ６６４を含み、これは弾性である。基部６６０、アーム６６２、およびスプリングクリップ６６４は導電性である（例えば金属から形成される）。成端バー６７０は、成端バー５２４と類似しており、ワイヤを上述したように成端ブロック内に絡み付けるための歯およびスロットを含む。
【００３０】
図９Ｂは、ケーブルが取り付けられた図９Ａの成端ブロックを示す。アーム６６２およびスプリングクリップ６６４が、ケーブル１０７のシールドとの電気的接触がなされることを可能にする。図９Ｂでは、ケーブル１０７のフォイルシールドが、当技術分野で知られるようにケーブル外被の周りに折り返されている。ケーブル１０７は、ケーブルシールドが基部６６０と物理的および電気的に接触するように、ケーブル凹所６６１内に配置される。ラッチアーム６６２が閉じられて凹所６６１を覆い、その結果、スプリングクリップ６６４がケーブルシールドと接触して、ケーブルシールドとの物理的および電気的接触を確立する。ラッチ６６２の遠位端部上の開口６６３が、基部６６０上のキャッチと係合して、アームを所定の位置にロックする。図７を参照して上述したように、コネクタハウジング５０１がシールドされる諸実施形態では、導電性基部６６０がコネクタハウジング５０１と電気的接触する。
【００３１】
図９Ａおよび９Ｂの実施形態は、異なる外径を有するケーブル１０７を成端ブロック６５５と共に使用できるようにする。スプリングクリップ６６４は弾性であり、したがって、より大きなケーブル直径を収容するとともに、より小さなケーブル直径と電気的接触することができる。これにより、ケーブル１０７の直径に関わらず、成端ブロック６５５およびコネクタハウジング５０１のサイズおよびフォームファクタを一定にすることが可能になる。さらに、アーム６６２は単一の閉位置を有し、成端ブロック６５５内へのケーブル１０７の取付けを大幅に容易にしている。これにより、利用者がケーブル１０７を成端ブロック６５５に確定的に固定することが可能になる。アーム６６２およびスプリングクリップ６６４は、ケーブル１０７に十分な圧力を加えて、張力緩和も行う。
【００３２】
図１０は、一例示的実施形態における成端コンタクトの構成を示す。図１０は、複数のコネクタが（例えばパッチパネル内に）互いに近接して取り付けられる適用例における、基板５０３上に構成された成端コンタクト５０４を示す。成端コンタクト５０４は、基板５０３の対角線上に構成される。この位置は、あるコネクタから隣接するコネクタまでの最大化された距離５１１を、左右と、コネクタの上方または下方の両方で維持する。これは、図５Ｂに示す既存の設計に勝る大幅な改良であり、図５Ｂでは、コンタクト間の距離が領域１１２によって表されている。この距離を最大にすることが、エイリアンクロストークを低減させる際に効率的な方法であることが分かっている。この方法はまた、ワイヤ成端用の最大領域５１３を効果的にもたらす。図１１は、図１０および５Ｂの実施形態に関する、エイリアンクロストーク（ＡＮＥＸＴ）対周波数を示す。
【００３３】
基板５０３上でのめっきスルーホール５０７に対する成端コンタクト５０４の構成も、図１０において明らかである。めっきスルーホール５０７は、コンタクトキャリア５０２上に支持されるコネクタコンタクト８００（図２６）の端部を受け取る。めっきスルーホール５０７は、基板５０３の中央領域内に概ね配置される。成端コンタクト５０４は、基板５０３内に配置された第２組のめっきスルーホール５０９内に、各成端コンタクト５０４の基部で取り付けられる。図１０に示すように、成端コンタクト５０４用のスルーホール５０９は、基板５０３上のめっきスルーホール５０７を含む領域を横断する。このことがいくつかの利点をもたらす。まず、成端コンタクト５０４とめっきスルーホール５０７との間の距離が短く、したがって、成端コンタクト５０４をそれぞれに対応するめっきスルーホール５０７と電気的に接続するために、基板５０３上に短いトレースだけが必要になる。短い電気経路を有することができるこの能力は、電気的遅延を最小限に抑え、その結果、高周波数伝送特性が改善される。さらに、このように構成すると、成端コンタクト５０４を隔置する際に、基板５０３上の最長寸法（すなわち対角線）が使用できるようになる。
【００３４】
成端コンタクト５０４およびコネクタコンタクト８００を横断させることによって、めっきスルーホールおよび関連する構成要素を、アウトレットの近端クロストークおよび遠端クロストークを補償するための結合（または減結合）をもたらすように構成することができる。この補償は、アウトレット組立体の高周波数伝送性能に悪影響を及ぼす恐れのある長い回路板トレースを使用するのではなく、構成要素を配置および構成することによって達成することができる。
【００３５】
各成端コンタクト５０４の横軸Ｘが、基板の軸に関して異なることも、図１０において明らかである。横軸Ｘは、成端コンタクト５０４のＩＤＣ部分を形成するプロングにわたって延び、基板５０３に平行である。図５Ａでは、成端コンタクト１０４の横軸Ｙが、各成端コンタクト１０４について一貫している。換言すれば、基板１０３の平面内の基準軸（例えば長手方向、横方向、対角線方向の）に対して、基準軸と各成端コンタクト１０４の横軸との間の角度が等しい。図１０ではそうではない。基板５０３の平面内の基準軸（例えば長手方向、横方向、対角線方向の）に対する成端コンタクト５０４の横軸Ｘの角度は、成端コンタクト５０４の間で異なる。図１０に示すように、各成端コンタクト５０４の横軸Ｘは、基準軸Ｚに対して２つの異なる角度のうち一方で配置される。
【００３６】
成端コンタクト５０４の角度を操作することによって、構成要素は、適切に結合（または減結合）するとともに、不平衡な結合による悪影響を最小限に抑えることができる。成端コンタクト５０４の異なる角度は、関連付けられた対の平衡特性を改善する助けとなることができる。１対のチップとリング（例えばコンタクト１と２）の間により大きな結合をもたらすと、差動対が先行技術において見られるほど大きくは妨害されないので、より少ない放射を生み出す対が生じる。この結果、より優れた平衡、クロストークの改善、エイリアンクロストークの改善、および反射減衰量の改善がもたらされる。
【００３７】
成端コンタクト５０４を反対の角度で角度付けすることによって、対間の不平衡なクロストークを劇的に最小限に抑えることができる。クロストークが存在するとき、不平衡な補償を行うこと（すなわち、ピン４と６を結合させずにピン３と５を結合させること）は望ましくない。成端コンタクト５０４を角度付けすると、一直線のピンを有する設計（すなわち図５Ａ）上で生じることがある不平衡な補償を回避する大きな助けとなることができる。不平衡な補償は乏しい平衡を招き、ひいては他のパラメータ（すなわち、近端漏話（ＮＥＸＴ）、エイリアンクロストーク（ＡＮＥＸＴ））についての乏しい高周波数伝送性能を招く。
【００３８】
図１２は、諸例示的実施形態におけるベゼル６００の正面斜視図である。ベゼル６００は、２つの側壁６０２、第１の端壁６０４、および第２の端壁６０６を含む。ベゼル６００は、プラグ１００を受け取るための開口６０８とプラグラッチ１２０を受け取るための凹所６１０とを有する前面を含む。第１の端壁６０４は、ベゼル６００の前面に平行に延びる、隆起した前面リップ６１２を含む。１対の隆起した突出部６１４が、リップ６１２から離れて置かれている。リップ６１２および突出部６１４は、フェースプレート開口の縁部を受け取るための溝をそれらの間に画定する。前向きラッチ６１８が突出部間に配置され、これは、ベゼルをコネクタハウジング５０１に開口５４０のところで固定するのに使用される片持ちラッチである。凹所６０５が、側壁６０２と第１の端壁６０４との接合部に形成される。凹所６０５は、本明細書において説明するように、アイコン７００上の延長部７０４を受け取る。図１３は、図１２のベゼルの背面斜視図である。第２の端壁６０６が、突出部６１４に類似した１対の突出部６２０を含む。
【００３９】
図１４は、図１２のベゼルを使用してパネル内に平坦構成で取り付けられたコネクタの正面斜視図である。ベゼル６００は、ラッチ６１８がコネクタハウジング５０１に開いた開口５４０と係合するように、コネクタハウジング５０１に固定される。平坦構成では、フェースプレート開口の下縁部が、リップ６１２と突出部６１４との間に配置される。フェースプレート開口の上縁部が、ラッチ組立体５４３のラッチアーム５４２とラッチ組立体５４３のラッチ５４４との間に配置される。平坦構成では、凹所６１０およびプラグラッチ１２０が下方、すなわち重力の方向に向いている。これは、アウトレットにとって好ましい配置方向である。というのも、コンタクトキャリア５０２内のアウトレットコンタクトが上方位置にあり、汚染物がアウトレットコンタクト上に積もるのを防止するためである。図１５は、図１２のベゼルを使用してパネル内に平坦構成で取り付けられたコネクタの背面斜視図であり、ハウジングラッチ５４４がフェースプレート開口の上縁部の後側に接している様子を示す。
【００４０】
図１６は、図１２のベゼルを使用してパネル内に角度付き構成で取り付けられたコネクタの正面斜視図である。この文脈における角度付きとは、ベゼル６００に開いた開口６０８が、フェースプレートの前面に対して斜角で下方に角度付けされていることを指す。この構成では、ベゼル６００がコネクタハウジング５０１に、図１４および１５と同じ配置方向で接続される。このユニットは、プラグラッチ１２０を受け取るための凹所６１０が重力の方向とは反対の上向きになるように、図１４および１５のユニットに対して１８０度回転される。これにより、コネクタ５００が角度付き配置方向で取り付けられるとき、プラグラッチ１２０へのアクセスが大幅に容易になる。この角度付き構成では、突出部６２０が、フェースプレートに開いた開口の下縁部の前側に接する。ハウジングラッチ５４４が、フェースプレート開口の下縁部の後側に接して、コネクタ５００の位置を定める。フェースプレート開口の上縁部の裏側が、コネクタハウジング５０１内に形成された溝５４６内に配置される。第１の端壁６０４の後端部が、フェースプレート開口の上縁部の前側に接する。図１７は、図１２のベゼルを使用してパネル内に角度付き構成で取り付けられたコネクタの背面斜視図であり、ハウジングラッチ５４４および溝５４６を示す。
【００４１】
ベゼル６００は、シールド（例えば金属）コネクタハウジング５０１を有するコネクタを含めて、コネクタの色分けを可能にする。シールドコネクタおよび非シールドコネクタは、フェースプレート内に取り付けられた後に類似の外観を有し、よりすっきりとした最終取付け物をもたらす。コネクタ５００を製造する際に、ベゼル６００により、色分けされたアウトレットを組立工程の終わりに構成することが可能になる。既存のコネクタは、ベゼルを色分けするのではなく、コネクタハウジング全体を色分けしている。このことが、そのような設計に対する製造工程および在庫要件を複雑にしている。ベゼル６００は、ＩＥＣ標準規格に従ってサイズ設定された標準的なフェースプレート開口内に、コネクタを角度付き構成または平坦構成で取り付けることも可能にする。
【００４２】
図１８は、諸例示的実施形態におけるアイコンの正面斜視図である。アイコン７００は、本体７０２、および本体７０２から離れて延びる弾性延長部７０４を有する。図２０に関して説明するように、延長部７０４はキャッチ７０６を含み、キャッチ７０６は、ベゼル側壁６０２内の凹所と係合して、アイコン７００をベゼル６００に固定する。図１９は、図１８のアイコンの背面斜視図である。図１９に示すように、アイコン７００の裏面が、アイコン本体７０２の裏面から離れて置かれたアーム７０８を含む。アイコン本体７０２とアーム７０８との間のこの間隙が、アイコン７００に関連付けられたコネクタを特定するのに使用される挿入物（例えば紙要素）を受け取るためのポケット７０９を画定する。挿入物は、コネクタのタイプ（例えば音声またはデータ）を示すために色分けすることができる。さらに、挿入物は、コネクタのタイプを絵で表したものの形をとる表示（例えば電話またはコンピュータの画像）を含むことができる。アイコン７００の１つの利点は、挿入物をアイコン７００内に配置してから、アイコンをベゼル６００上に取り付けることができることである。アイコン本体７０２は、アイコンを通して挿入物を見ることができるように、透明な材料から形成される。アイコン本体７０２は、挿入物上のテキスト／表示を拡大するために、レンズを画定するように輪郭付き（例えば凹形、凸形）とすることもできる。諸代替実施形態では、アイコン７００が同一調の不透明色にされ、色自体がコネクタのタイプを示す。
【００４３】
図２０は、コネクタハウジング上に取り付けられたベゼル６００と、それに装着された２つのアイコン７００の斜視図である。図２０は、延長部７０４がベゼル６００の側壁６０２内の凹所６０５と係合している様子を示す。使用中のベゼル６００に、２つのアイコン７００は一般に取り付けられないことに留意されたい。アイコン７００は、コネクタが図１６および１７の角度付き配置方向で取り付けられるとき、第１の端壁６０４に取り付けられる。アイコン７００は、コネクタが図１４および１５の平坦配置方向で取り付けられるとき、第２の端壁６０６に取り付けられる。
【００４４】
図２１は、コネクタ５００をキーストン適用先（例えば、ＩＥＣ標準規格の寸法を満たすことができるキーストン開口を有するフェースプレート）内に取り付けるのに使用される、諸例示的実施形態におけるキーストンベゼル７６０の正面斜視図である。キーストンベゼル７６０は、コネクタハウジング５０１にラッチ係合する。キーストンベゼル７６０は、プラグ１００を受け取るための開口を有する前面を含む。側壁７６４が前面７６２から後方に延び、側壁７６４はストップ７６６を含み、ストップ７６６は、図２４Ｂに示すようにフェースプレートの裏側に接する。プレート７６８が前面７６２から後方に延び、プレート７６８はナブ（ｎｕｂ）７７０を含み、ナブ７７０もやはり、図２４Ｂに示すようにフェースプレートの裏側に接する。キーストンラッチ７８０が、前面７６２から離れた方に向かう斜角でプレート７６８の上方に延び、したがって、ラッチ７８０の遠位端部が前面７６２から最も遠くにある。キーストンラッチ７８０は、前面７６２に平行なリブ７８２、およびキーストンラッチ７８０の遠位端部でリブ７８２から隔置されたキャッチ７８４を含む。図２２は、図２１のキーストンベゼルの背面斜視図である。
【００４５】
キーストンベゼル７６０は、キーストンコネクタ上の既存のラッチに対して反対にされたキーストンラッチ７８０を使用する。換言すれば、既存のキーストンコネクタは、コネクタの前面に向かって延びるラッチを有する。図２１および２２のキーストンベゼルは、コネクタの前面から離れて延びるラッチ７８０を含む。ラッチ７８０は、パネル内に取り付けられるとき圧縮モードになる。ラッチ７８０は、既存のキーストンラッチよりも解除するのがずっと簡単である。
【００４６】
図２３Ａは、キーストンフェースプレート内に取り付けられた従来型のキーストンコネクタの断面図である。キーストンスタイルコネクタの一般的な取付け先は、後壁１００４および前壁１００６を有する２重壁フェースプレート内である。これにより、コネクタの前面が前壁１００６と同一平面上にある。従来型のキーストンコネクタ１０００が、図では、前面リップを有する前向きラッチ１００２が後壁１００４の後ろにある状態で、パネル内に取り付けられている。
【００４７】
図２３Ｂは、図２１および図２２のベゼルを使用してキーストンフェースプレート内に取り付けられたコネクタの断面図である。コネクタハウジング５０１が、ベゼル７６０に固定される。図２３Ｂに示すように、リブ７８２が、前壁１００６と後壁１００４との間に配置される。キャッチ７８４が後壁１００４の後ろに露出し、それにより、利用者がキャッチ７８４を下方に押すことによってラッチ７８０を解除することが可能になる。これは、ラッチ１００２を解除するよりも大幅に容易である。というのも、ラッチ１００２を反らせるには、利用者がラッチ１００２の遠位端部付近に圧力を加えていないので、かなりの圧力が必要になるためである。
【００４８】
図２４Ａは、キーストンフェースプレート内に取り付けられた従来型のキーストンコネクタの斜視図である。ラッチ１００２が、後壁１００４の下を通過する。ラッチ１００２は前向きなので、コネクタ１００をフェースプレートから取り外すために、ラッチ１００２に対してかなりの圧力が必要である。図２４Ｂは、図２１および図２２のベゼルを使用してキーストンフェースプレート内に取り付けられたコネクタの斜視図である。図２４Ｂに示すように、後向きラッチ７８０により、キャッチ７８４が後壁１００４の後ろに露出する。これにより、利用者がキャッチ７８４を押し下げることによってラッチ７８０を解除することが可能になる。ラッチ７８０は後向きなので、利用者はラッチ７８０の遠位端部に圧力を加え、それにより、従来型のキーストンラッチよりも反らせることがずっと容易になっている。
【００４９】
本発明の諸実施形態の一態様は、コネクタハウジング５０１に（角度付き取付けもしくは平坦取付け用の）ベゼル６００、またはキーストン適用先用のベゼル７６０を装着できるということである。この態様により、共通のコネクタハウジング５０１（および関連する構成要素）が、さまざまな用途に使用できるようになる。ベゼル６００および７６０は、現場で取付け者の手で追加することができ、それにより、取付け者がコネクタ取付け物を容易にカスタマイズすることが可能になる。この態様はまた、共通のコアコネクタが製造され、顧客の要求を満たすために異なるベゼルだけが必要になるため、コネクタ５００の製造の複雑さを低減させる。
【００５０】
図２５は、隣り合わせに取り付けられた図６の２つのコネクタを示す。図２５はコネクタの上面図である。各コネクタハウジングが、上面（図２５内に見える）、底面、および２つの側壁を含む。本発明の諸実施形態では、ベゼル側壁６０２（図１２）の一方が、図２５に矢印Ａで示される（プラグがコネクタ５００と嵌合される方向に平行な）方向に、他方の側壁よりも遠くに延びる。換言すれば、一方の側壁６０２が、プラグがコネクタと嵌合する方向に、ベゼル６００に開いた開口６０８からより遠くに延びる。その結果、この側壁が、隣接するコネクタハウジング５０１間のスペーサとして働く。コネクタハウジング５０１が金属である場合、２つの隣接するコネクタ間のインターフェースは、金属からプラスチックに、次いで金属に移り変わる。同様に、成端ガイド５０６の第２の端部５１２の１つの側面が、矢印Ａとは反対の方向にコネクタハウジング５０１の側面に沿ってフランジを含む。この場合もやはり、成端ガイド５０６上のフランジが、２つのコネクタハウジング５０１間に配置されて、隣接するコネクタ５００が互いに接触するのを防止する。これは、コネクタハウジング５０１がシールドされる諸実施形態において重要であり、シールドコネクタを電気的に分離された状態に保つことが望ましい。ベゼル側壁６０２および成端ガイド５０６の延長部は、接地されたコネクタ間のスペーシングを制御して、グランドの分離を電気的に維持する。この設計は、Ｉｎｆｉｎｉｂａｎｄなどの先進高帯域幅応用分野の要件である、シグナルグランドとシャーシグランドとの間の一貫した分離を可能にする。ベゼル６００の延長側壁および成端ガイド５０６上のフランジは一体化された特徴なので、２つの隣接するコネクタ間でグランド接続を不注意に接触させることは決してない。スペーシング要素（すなわち延長側壁）を一方の側に偏らせることによって、ベゼル６００または成端ガイド５０６がコネクタハウジング５０１と係合する様子がばらついても、フランジが正のスペースを隣接するコネクタ間に効果的に維持することができる妨げにはならない。
【００５１】
図２６は、諸例示的実施形態におけるコンタクト支持部を示す。上述したように、コンタクトキャリア５０２（図６）は、プラグ１００内のプラグコンタクトと電気的接続するアウトレットコンタクトを含む。図２６は、コンタクト支持部８１０上に配置されたアウトレットコンタクト８００を示す。コンタクトキャリア５０２が複数のアウトレットコンタクト（例えば４、６、８、１０本）を含むこと、および図面を簡単にするために１本のコンタクト８００が示されていることが理解されよう。プラグがコネクタ５００と嵌合されると、プラグコンタクトがアウトレットコンタクト８００と係合するので、コンタクト８００が下方に反る。コンタクト支持部８１０は、当技術分野で従来そうであるように完全に平坦なのではなく、弓形部８１２を含む。コンタクト８００の下にある弓形部８１２は、コンタクト８００が下方に反るときに、コンタクトの漸進的な一定半径支持（ｐｒｏｇｒｅｓｓｉｖｅ  ｃｏｎｓｔａｎｔ  ｒａｄｉｕｓ  ｓｕｐｐｏｒｔ）を行うようにしてコンタクトを支持する。コンタクト８００は片持ち梁として働き、弓形部８１２が梁の移動を最大にするとともに、コンタクト８００の上面および底面に対して均一な応力／張力分布を発生させる。応力および張力を低減させることによって、所与の作動範囲内でより短い長さのコンタクト８００を使用することができる。さらに、応力および張力を低減させることにより、製造者がりん青銅などのより一般的で環境に優しい材料を使用できるようになる。
【００５２】
図２７は、基板の両側をワイヤ成端に利用することによってエイリアンクロストーク性能を最大にする一実施形態の分解図である。こうすることにより、コネクタがごく近接して取り付けられたときの距離が最大になるとともに、より大きな範囲の成端コンタクト幾何形状が可能になる。図２７の実施形態は、コンタクトキャリア２２２を受け取るコネクタハウジング２２０を含む。コネクタハウジング２２０は、シールドを形成するために導電性とすることができる。基板２２６（例えばプリント回路板）が、成端コンタクト２２８を受け取る。基板２２６上のトレースが、コンタクトキャリア２２２内のコネクタコンタクトを成端コンタクト２２８と電気的に結合させる。
【００５３】
ワイヤが、成端本体２３２と、成端本体２３２に蝶番式に取り付けられた２つの成端キャップ２３４とを有する成端デバイスによって、成端コンタクト２２８に成端される。成端本体２３２は、ケーブル１０７を受け取るための開口を含む。ワイヤ１０８が、成端コンタクト２２８と位置合せされる。次いで、ワイヤを成端コンタクト２２８に押し込んで、成端コンタクト２２８と電気的接触するために、成端キャップ２３４が基板２２６に向かって回転される。成端コンタクトの対は、隣接する成端コンタクト間の距離を増大させ、かつコネクタ内でのこれらの対間のスペースを最大にするために、前方または後方に配置することができ、そうすることにより、コネクタ内でのクロストーク性能が改善する。
【００５４】
図２８は、パッチパネル内などに隣り合わせに取り付けられた、図２７の２つのモジュラコネクタを示す。図２８に示すように、成端コンタクト２２８は、先行技術の設計に比べて、隣接する成端コンタクト間に増大した距離を有する。この場合もやはり、このことが、隣接するコンタクト間の距離を増大させることによって、エイリアンクロストーク（ＡＮＥＸＴ）を低減させる。
【００５５】
図２９は、非係合位置１１４および係合位置１１５にある、張力緩和およびシールド成端組立体を示す。張力緩和およびシールド成端組立体は、張力緩和クリップ２５０およびアクティベータ２５２を含む。張力緩和クリップ２５０は導電性かつ概ね円形であり、複数のスプリング部材部２５４が中に形成されている。張力緩和クリップ２５０は、成端ブロック１０５の基部３０２内に配置される。アクチュエータ２５２は概ね方形であり、張力緩和クリップ２５０を受け取るための１つの開端を有する。アクチュエータ２５２の内面が、張力緩和クリップ２５０と接触するためのタブ２５６を含む。タブ２５６が張力緩和クリップ２５０と接触すると、張力緩和クリップ２５０が径方向内側に駆動されて、ケーブル１０７上に固定される。ケーブルの把持は、モジュラコネクタの張力緩和となる。さらに、ケーブル１０７がシールドされている場合、クリップ２５０は、（一般にケーブルの外側上に折り返された）ケーブルスクリーンと接触して、ケーブルスクリーンとの電気的接続を確立することができる。コネクタハウジング１０１は、コネクタハウジング１０１をケーブルスクリーンと電気的に接続した状態にするために、クリップ２５０と電気的接触することができる。
【００５６】
シールド性能は、伝達インピーダンス（ＩＳＯ  ＩＥＣ  １１８０１第２版）として知られる特性によって定量化される。シールド性能は、係合される円周のパーセンテージと、加えられる垂直力の両方によって変わることが分かっている。より大きな範囲のケーブル直径の導入により、従来のシールド成端の、最大のシールド係合と垂直力の両方をもたらすことのできる能力が制限される。図示の実施形態では、可撓性シールド接地組立体１０６が３つの別々の方向から同時にケーブルシールドと強制的に接触させられ、それにより、最大量の円周領域１１６と係合するとともに、一貫した予測可能な垂直力で、最大範囲のケーブル直径１０７の受入れも行う。
【００５７】
図３０は、一代替実施形態における電気通信コネクタを示す。コネクタ４００はプラグであり、プラグインサート４１０、コンタクト４１２、およびハウジング４１４を含む。インサート４１０は、ケーブル１０７の外側を受け取るために半円形となっている、ケーブル受取り領域４２０を含む。インサート４１０は、ケーブル受取り領域４２０から隔置された成端バー４２２を含む。ワイヤを、成端ブロック１０５に関して上述したのと同じように、成端バー４２２上に絡み付けることができる。すなわち、ワイヤは、成端バー４２２上に絡み付けられ、インサート４１０の前面上にある溝４２４内に横たえられる。上述したように、ワイヤは、ケーブル内でのワイヤの自然な位置がケーブルの両端部で維持されるように、成端バー４２２の両側上に絡み付けられる。２つのワイヤ対が、成端バー４２２の上面上に絡み付けられ、２つのワイヤ対が、成端バー４２２の底面上に絡み付けられる。ワイヤの端部が、溝４２４内に配置される。ワイヤ対の自然なレイを維持すると、１つ以上のワイヤ対を配置し直して、別のワイヤ対と交差させる、または別のワイヤ対に近づける必要がなくなることにより、性能が改善する。
【００５８】
コンタクト４１２は、概ね方形であり、１つの側面に沿って絶縁貫通コンタクト（ＩＰＣ）を含む。絶縁貫通コンタクトは、溝４２４内のワイヤと係合して、当技術分野で知られるようにワイヤとの電気的接触を確立する。ハウジング４１４は、その前面上に、コンタクト４１２を受け取るためのいくつかのスロットを含む。次いで、コンタクト４１２は、アウトレットコンタクトと電気的接触することができるように、ハウジング内のスロットを通じて露出する。
【００５９】
コネクタ４００は、ケーブルを張力緩和ブーツに通してインサート４１０に入れることによって組み立てられる。個々のワイヤが成端バー４２２上に、２つのワイヤ対が成端バーの上面上に絡み付けられ、２つのワイヤ対が成端バーの底面上に絡み付けられるように、絡み付けられる。上述したように、こうすることにより、ワイヤが、ケーブルから出るそれらの自然なレイの形に維持される。ワイヤは、溝４２４内に配置される。次いで、インサート４１０が、コンタクト４１２を予め装填しておくことができるハウジング４１４に押し込まれる。ワイヤがＩＰＣと係合すると、ワイヤとコンタクト４１２との間で電気的接続が確立される。
【００６０】
図３０の実施形態は、成端バーを、アウトレットまたはプラグなど、任意のタイプのコネクタと共に使用することの利点を示している。成端バーは、ワイヤが、ワイヤの自然なレイを維持するパターン内に絡み付けられ、それによりワイヤ対を交差させる、またはワイヤ対を配置し直す必要がなくなることを可能にする。これにより、成端のばらつきが低減され、性能が改善する。
【００６１】
本発明の諸実施形態は、ワイヤ対を交差させずにワイヤコンタクトのところでワイヤを容易に成端することを可能にする。その結果、嵌合コネクタにおいてばらつきが低減され、伝送性能がより良好になり、これらは成端の設計によるものである。ワイヤ成端のばらつきを低減させると、クロストークが低減され、またクロストークがより予測可能になるためクロストークを補償することのできる能力が高まる。さらに、この技法の適用は直観的なものであり、それにより、取付け者のトレーニングがより容易になり、直行率がより高くなる。
【００６２】
以上、本発明を諸例示的実施形態に即して説明してきたが、本発明の範囲から逸脱することなく、さまざまな変更を行うことができ、等価物を本発明の要素の代わりに使用できることを、当業者なら理解するであろう。さらに、本発明の本質的な範囲から逸脱することなく、本発明の教示に対して特定の状況または材料に適合するために多くの変形を行うこともできる。したがって、本発明は、本発明を実施するために開示した特定の実施形態に限定されないものとする。例えば、次のような電機通信コネクタも本発明の実施形態の電機通信コネクタである。
［１］段落０００６に記載の電機通信コネクタであって、
コネクタハウジングと、
複数の成端コンタクトと、
複数の導体を有するケーブルを受け取る成端ブロックであって、前記導体が複数の対の形で構成され、前記導体が、前記成端コンタクトとの成端のために前記成端ブロックの成端バー内に絡み付けられる成端ブロックと
を備え、
前記導体が、どの導体対も他の導体対を交差しないように前記成端バー内に絡み付けられる
ことを特徴とする電気通信コネクタ。
［２］上記［１］に記載の電機通信コネクタであって、
前記導体が、前記ケーブル内での導体のレイが前記成端バー内で維持されるように前記成端バー内に絡み付けられる
ことを特徴とする電気通信コネクタ。
［３］上記［１］に記載の電機通信コネクタであって、
どの導体対も、ケーブルを出てから前記成端バーに至るまで、他の導体対を交差しない
ことを特徴とする電気通信コネクタ。
［４］上記［１］に記載の電機通信コネクタであって、
前記導体が、前記成端バーの一方の側から前記成端バー内に絡み付けられる
ことを特徴とする電気通信コネクタ。
［５］上記［１］に記載の電機通信コネクタであって、
第１組の導体が、前記成端バーの一方の側から前記成端バー内に絡み付けられ、第２組の導体が、前記成端バーの他方の側から前記成端バー内に絡み付けられる
ことを特徴とする電気通信コネクタ。
［６］上記［１］に記載の電機通信コネクタであって、
前記成端バーが、導体対を個々の導体に分離するための複数の歯、および前記個々の導体を受け取るための複数のスロットを含む
ことを特徴とする電気通信コネクタ。
［７］上記［５］に記載の電機通信コネクタであって、
前記成端バーが、各スロット内に配置された開口を含み、前記開口が前記成端コンタクトを受け取る
ことを特徴とする電気通信コネクタ。
［８］上記［１］に記載の電機通信コネクタであって、
前記成端コンタクトが、コネクタハウジングの単一軸に沿って延びる
ことを特徴とする電気通信コネクタ。
［９］上記［１］に記載の電機通信コネクタであって、
前記コネクタハウジングが方形であり、前記単一軸が前記コネクタハウジングの対角線である
ことを特徴とする電気通信コネクタ。
［１０］上記［１］に記載の電機通信コネクタであって、
前記コネクタハウジングが、プラグを受け取るためのアウトレットを画定する
ことを特徴とする電気通信コネクタ。
［１１］上記［１］に記載の電機通信コネクタであって、
前記成端ブロックが、ケーブル凹所と、枢動可能に取り付けられたアームとを有する基部を含み、前記アームが閉位置において前記ケーブル凹所を覆う
ことを特徴とする電気通信コネクタ。
［１２］上記［１１］に記載の電機通信コネクタであって、
前記アームがその内面上にスプリングクリップを含み、その場合、前記アームが前記閉位置にあるとき、前記スプリングクリップが前記ケーブル凹所内のケーブルのシールドと接触する
ことを特徴とする電気通信コネクタ。
［１３］段落０００６に記載の電機通信コネクタであって、
コネクタハウジングと、
前記コネクタハウジング上に取り付けられるベゼルであって、プラグを受け取るための開口のある前面を有し、前記開口がプラグラッチを受け取るための凹所を有するベゼルと、
標準的な寸法のフェースプレート開口を有するフェースプレートと
を備え、
前記ベゼルが、前記凹所が下方に配置された状態で、前記フェースプレート開口内に平坦配置方向で取付け可能であり、前記ベゼルが、前記凹所が上方に配置された状態で、前記フェースプレート開口内に角度付き配置方向で取付け可能である
ことを特徴とする電気通信コネクタ。
［１４］上記［１３］に記載の電機通信コネクタであって、
前記ベゼルに取り付けられるアイコン
をさらに備えることを特徴とする電気通信コネクタ。
［１５］上記［１４］に記載の電機通信コネクタであって、
前記アイコンが、前記ベゼルが前記角度付き配置方向で取り付けられるときに前記ベゼルの第１の端壁に取り付けられ、前記アイコンが、前記ベゼルが前記平坦配置方向で取り付けられるときに前記ベゼルの第２の端壁に取り付けられる
ことを特徴とする電気通信コネクタ。
［１６］上記［１５］に記載の電機通信コネクタであって、
前記アイコンが、アイコン本体、および前記アイコン本体の裏面上に配置されたアームを含み、前記アームが前記アイコン本体から隔置されてポケットを画定する
ことを特徴とする電気通信コネクタ。
［１７］上記［１６］に記載の電機通信コネクタであって、
前記アイコン本体の前記裏面と前記アームとの間に配置可能な挿入物
をさらに備えることを特徴とする電気通信コネクタ。
［１８］段落０００６に記載の電機通信コネクタであって、
コネクタをキーストンフェースプレート開口内に取り付けるためのキーストンベゼルを含み、
前記キーストンベゼルは、プラグを受け取るための開口を中に有するキーストンベゼル前面と、
前記前面から後方に延びる２つの側壁であって、フェースプレートの後側に接するためのストップをそれぞれが含む側壁と、
前記前面から後方に延びるプレートであって、フェースプレートの後側に接するためのナブを含むプレートと、
前記前面から離れた方に向かう斜角で前記プレートの上方に延び、したがって、その遠位端部が前記前面から最も遠くにあるキーストンラッチと
を備えることを特徴とする電気通信コネクタ。
［１９］上記［１８］に記載の電機通信コネクタであって、
前記キーストンラッチが、前記前面に平行なリブ、および前記リブから隔置されたキャッチを含み、前記リブが、フェースプレートの前面に接するためのものである
ことを特徴とする電気通信コネクタ。
［２０］上記［１９］に記載の電機通信コネクタであって、
前記キャッチが、前記キーストンラッチの遠位端部に配置され、フェースプレートの後ろからアクセス可能である
ことを特徴とする電気通信コネクタ。
［２１］段落０００６に記載の電機通信コネクタであって、
上面、底面、および２つの側壁を有するコネクタハウジングと、
前記コネクタハウジングの前端部上に取り付けられるベゼルであって、２つの側壁を含み、第１の側壁が、前記コネクタハウジングの前記前端部から、第２の側壁よりも遠くに延び、前記第１の側壁が、前記コネクタハウジングと隣接するコネクタハウジングとの間のスペーサを形成するベゼルと、
前記コネクタハウジングの第２の端部上に取り付けられる成端ガイドであって、前記コネクタハウジングの一方の側壁に沿って延びるフランジを含み、前記フランジが、前記コネクタハウジングと隣接するコネクタハウジングとの間のスペーサを形成する成端ガイドと
を備えることを特徴とする電気通信コネクタ。
［２２］段落０００６に記載の電機通信コネクタであって、
コネクタハウジングと、
前記コネクタハウジング内に配置されるコンタクトキャリアと、
前記コンタクトキャリア上に支持された複数のコネクタコンタクトであって、少なくとも１本のコネクタコンタクトが、前記コンタクトキャリアのコンタクト支持部上に延びる片持ち梁部を有するコネクタコンタクトと
を備え、
前記コンタクト支持部が弓形部を含み、前記弓形部が、プラグと前記コネクタの嵌合によって前記コンタクトが反るときに、前記コンタクトの漸進的な一定半径支持を行う
ことを特徴とする電気通信コネクタ。
［２３］上記［２２］に記載の電機通信コネクタであって、
前記弓形部が、前記コネクタコンタクトの上面および底面に対して均一な応力／張力分布を発生させる曲率を有する
ことを特徴とする電気通信コネクタ。
［２４］段落０００６に記載の電機通信コネクタであって、
相補的コネクタと嵌合するためのコンタクト、およびケーブルと電気的接続するための成端コンタクトを有するコネクタコアであって、独立した組立体であるコネクタコアと、
前記コネクタコアに取付け可能な複数のベゼルであって、第１の取付けスタイルを可能にする第１のベゼル、および前記第１の取付けスタイルとは異なる第２の取付けスタイルを可能にする第２のベゼルを含むベゼルと
を備えることを特徴とする電気通信コネクタ。
【図１】
0005411124.tif 000002
【図２Ａ】
0005411124.tif 000003
【図２Ｂ】
0005411124.tif 000004
【図２Ｃ】
0005411124.tif 000005
【図３】
0005411124.tif 000006
【図４Ａ】
0005411124.tif 000007
【図４Ｂ】
0005411124.tif 000008
【図４Ｃ】
0005411124.tif 000009
【図４Ｄ】
0005411124.tif 000010
【図５Ａ】
0005411124.tif 000011
【図５Ｂ】
0005411124.tif 000012
【図５Ｃ】
0005411124.tif 000013
【図６】
0005411124.tif 000014
【図６Ａ】
0005411124.tif 000015
【図７】
0005411124.tif 000016
【図８】
0005411124.tif 000017
【図９】
0005411124.tif 000018
【図９Ａ】
0005411124.tif 000019
【図９Ｂ】
0005411124.tif 000020
【図１０】
0005411124.tif 000021
【図１１】
0005411124.tif 000022
【図１２】
0005411124.tif 000023
【図１３】
0005411124.tif 000024
【図１４】
0005411124.tif 000025
【図１５】
0005411124.tif 000026
【図１６】
0005411124.tif 000027
【図１７】
0005411124.tif 000028
【図１８】
0005411124.tif 000029
【図１９】
0005411124.tif 000030
【図２０】
0005411124.tif 000031
【図２１】
0005411124.tif 000032
【図２２】
0005411124.tif 000033
【図２３Ａ】
0005411124.tif 000034
【図２３Ｂ】
0005411124.tif 000035
【図２４Ａ】
0005411124.tif 000036
【図２４Ｂ】
0005411124.tif 000037
【図２５】
0005411124.tif 000038
【図２６】
0005411124.tif 000039
【図２７】
0005411124.tif 000040
【図２８】
0005411124.tif 000041
【図２９】
0005411124.tif 000042
【図３０】
0005411124.tif 000043